(57)【要約】      （修正有）【課題】ワイングラスの使用後の保管時や使用時の扱いの面倒を解消する収納物を提供する。【解決手段】底板２を覆っている収納箱本体１内から上板部１ａ上方に突出している取っ手支持棒体４の上端部に取っ手３を取り付け、底板２から支柱５を起立し、この支柱から両側に支持アーム６を張り出し、支持アームに支持溝７を介してワイングラスＧを懸垂状態に支持可能であり、取っ手支持棒体４と支柱５とを離脱可能に連結するための連結手段８を設け、取っ手３を利用して持ち運び可能であり、連結手段８は取っ手支持棒体４の連結部４ａと、支柱５の連結支柱部５ａとからなる。【選択図】図１
0003186495.tif 000002
【実用新案登録請求の範囲】
【請求項１】
底板を覆っている収納箱本体と、この収納箱本体内から上板部上方に突出し突出端部に取っ手を取り付けてある取っ手支持棒体と、上記底板から起立している支柱と、この支柱から両側に張り出している支持アームと、支持アームに設けてあるワイングラスの支持部と、上記取っ手支持棒体と上記支柱とを離脱可能に連結するための連結手段とを備え、上記取っ手を利用して持ち運び可能であり、
上記取っ手支持棒体は上記収納箱本体の上板部に対して上下動可能に貫通しており、
上記支持アームは上記支持部を介してワイングラスを懸垂状態に支持可能であり、
上記連結手段は、上記取っ手支持棒体に設けてある連結部と、この連結部に離脱可能に連結してあって上記支柱の上部に設けてある連結支柱部とからなる
ことを特徴とするワイングラスの収納箱。
【請求項２】
支持部は支持アームの長さ方向に形成して支持溝であり、この支持溝内をワイングラスの脚部がスライド可能であり、上記脚部の出し入れ口を設けてあり、上記ワイングラスの底部が上記支持溝上に掛け止め可能であることを特徴とする請求項１記載のワイングラスの収納箱。
【請求項３】
支持部は支持アームに設けてある支持穴であり、この支持穴にはワイングラスの脚部が出し入れ可能である出し入れ口を設けてあり、ワイングラスの底部が上記支持穴上に掛け止め可能であることを特徴とする請求項１記載のワイングラスの収納箱。
【請求項４】
支柱の両側から収納箱本体の内壁面に向けて案内板を張り出してあり、上記内壁面に上記案内板の端辺が上下動可能に係合している案内係止部を設けてあり、上記案内板は支持アームと交差する方向に配置されていることを特徴とする請求項１乃至請求項３のいずれかに記載のワイングラスの収納箱。
【考案の詳細な説明】
【技術分野】
【０００１】
この考案は、持ち運び可能であるワイングラスの収納箱に関するものである。
【背景技術】
【０００２】
一般的に、ワイングラスその他の食器は使用後に整理や衛生上等の理由によって食器棚に収納する。例えば実用新案登録第３０８６９１２号公報に記載の収納家具は、下段に引出し式の収納箱を設け、この収納室内に醤油瓶等を収納し、上段の食器棚板には食器類を収納するものである。
この種の収納家具によれば、ワイングラスにあっては、その収納時にワイングラスを食器棚板上に立てておくと不安定になるので、通常、脚部及び底部を上に、コップ部を下にして立てている。それでも、ワイングラスが不安定になることから、特開２００２−４５２４４号公報に記載の収納棚は、棚板の下面に逆溝状のグラスホルダーを取り付けて、ワイングラスの脚部の下部及び底部をグラスホルダー内に差し入れて吊り下げ状態にして収納するものである。
【先行技術文献】
【特許文献】
【０００３】
【特許文献１】実用新案登録第３０８６９１２号公報
【特許文献２】特開２００２−４５２４４号公報
【考案の概要】
【考案が解決しようとする課題】
【０００４】
いずれの従来例も、ワイングラスその他の食器類を収納棚等の棚板に収納するので、使用の際に、そして使用後の保管時に使用者はわざわざ食器棚等まで足を運ぶ面倒があり、その改善が求められていた。
本出願人は、ワイングラスの扱いを容易にして、上記課題を解決することができるようにした。
この考案の目的は、ワイングラスの使用後の保管時や使用時の扱いの面倒を解消することにある。
【課題を解決するための手段】
【０００５】
この考案に係るワイングラスの収納箱の第１の特徴は、底板を覆っている収納箱本体と、この収納箱本体内から上板部上方に突出し突出端部に取っ手を取り付けてある取っ手支持棒体と、上記底板から起立している支柱と、この支柱から両側に張り出している支持アームと、支持アームに設けてあるワイングラスの支持部と、上記取っ手支持棒体と上記支柱とを離脱可能に連結するための連結手段とを備え、上記取っ手を利用して持ち運び可能であることにある。上記取っ手支持棒体は上記収納箱本体の上板部に対して上下動可能に貫通し、上記支持アームは上記支持部を介してワイングラスを懸垂状態に支持可能であり、上記連結手段は上記取っ手支持棒体に設けてある連結部と、この連結部に離脱可能に連結してあって上記支柱の上部に設けてある連結支柱部とからなるものである。
この考案に係るワイングラスの収納箱の第２の特徴は、上記第１の特徴を備えており、支持部が支持アームの長さ方向に形成して支持溝であり、この支持溝内をワイングラスの脚部がスライド可能であり、上記脚部の出し入れ口を設けてあり、上記ワイングラスの底部が上記支持溝上に掛け止め可能であることにある。
この考案に係るワイングラスの収納箱の第３の特徴は、上記第１の特徴を備えており、支持部が支持アームに設けてある支持穴であり、この支持穴にはワイングラスの脚部が出し入れ可能である出し入れ口を設けてあり、ワイングラスの底部が上記支持穴上に掛け止め可能であることにある。
この考案に係るワイングラスの収納箱の第４の特徴は、上記第１乃至第３のいずれかの特徴を備えており、支柱の両側から収納箱本体の内壁面に向けて案内板を張り出してあり、上記内壁面に上記案内板の端辺が上下動可能に係合している案内係止部を設けてあり、上記案内板は支持アームと交差する方向に配置されていることにある。
【考案の効果】
【０００６】
この考案によれば、利用者の近くの卓上等の場所に置くことができるので、ワイングラスの使用時や使用後の保管時に、わざわざ食器棚まで足を運ぶ必要がないからその扱いがし易い。また、支持アームにワイングラスを懸垂状態にして収納しておくので、安定した支持状態を維持できる。
【図面の簡単な説明】
【０００７】
【図１】この考案に係るワイングラスの収納箱を示す正面図であって、主要部分を断面にして示している図である。
【図２】この考案に係るワイングラスの収納箱を分解しかつ収納箱本体を断面にして示す正面図である。
【図３】この考案に係るワイングラスの収納箱を示す拡大平面図である。
【図４】図１のＩＶ−ＩＶ線に沿う拡大断面図であって、案内板を一部切欠して示す図である。
【図５】図１のＶ−Ｖ線に沿う拡大断面図である。
【図６】この考案に係るワイングラスの収納箱における連結手段を拡大して示す正面図であって、連結から連結解除の過程を示す図である。
【図７】この考案に係るワイングラスの収納箱における連結手段を拡大して示す水平断面図であって、連結から連結解除の過程を示す図である。
【図８】図２のＶＩＩＩ−ＶＩＩＩ線に沿う拡大断面図である。
【図９】この考案に係るワイングラスの収納箱の他の実施形態を示す分解正面図であって、収納箱本体を断面にして示す図である。
【図１０】図９のＸ−Ｘ線に沿う拡大断面図である。
【考案を実施するための形態】
【０００８】
この考案のワイングラスの収納箱の実施形態について図１〜図８を参照して説明する。
図１及び図２に示す収納箱Ｂは、底板２を覆っている収納箱本体１と、この収納箱本体の上板部１ａの上方に配置してある取っ手３と、この取っ手を上端部で取り付けている取っ手支持棒体４と、上記底板から起立している支柱５と、この支柱から両側に張り出している支持アーム６と、支持アームに設けてあるワイングラスの支持部７と、上記取っ手支持棒体と上記支柱とを離脱可能に連結するための連結手段８とを備えている。収納箱Ｂは取っ手３を利用して持ち運びすることができる。
【０００９】
図１〜図３において、収納箱Ｂにおける収納箱本体１は下端開口の箱体状に形成され、下端側で底板２を覆っている。収納箱本体１は、図４に示す例によれば、その下端側の外周縁で底板２上に設けてある台板２ａの外周部を覆っており、この状態で水平方向への移動が制御されている。収納箱本体１の正面若しくは背面又は双方の面（図１では双方の面）に、内部のワイングラスＧの有無を確認するための窓１ｂを設けてある。
【００１０】
取っ手支持棒体４は収納箱本体１の上板部１ａ上方に突出され、突出端である上端部に取っ手３を水平状態に取り付けてある。取っ手支持棒体４は収納箱本体１内から上板部１ａに対して上下動可能にこれを貫通している。
【００１１】
図１及び図２に示すように、支柱５は、底板２の中央部に位置し収納箱本体１から上板部１ａに向けて起立されている。
【００１２】
支持アーム６は、図４及び図５に示すように対のアーム材６ａ，６ｂと連結部材６ｃとからなる。対のアーム材６ａ，６ｂは支柱５を挟んで互いにほぼ平行に対向配置されている。対のアーム材６ａ，６ｂはその中央部分で支柱５を挟む状態でこの支柱に固着されており、中央部分から先端に向けて次第に接近している。アーム材６ａ，６ｂの対向間は、中間部分が連結部材６ｃによって連結され、先端部分が開口となっている。
【００１３】
支持部７は、図１、図４及び図５に示すようにワイングラスＧを支持アーム６に懸垂状態に支持するための手段である。支持部７は、図５に示す例によれば、支持アーム６の先端部から支柱５に向けて長さ方向に沿って設けてある支持溝によって構成されている。そして、支持溝７の先端部である両アーム材６ａ，６ｂの先端部間の開口が出し入れ口７ａになっている。出し入れ口７ａはワイングラスＧの脚部Ｇｂを出し入れ可能である。ワイングラスＧの脚部Ｇｂは支持溝７内をスライド可能である。図１、図４及び図５に示すように、ワイングラスＧは、脚部Ｇｂが支持溝７を貫通した状態で底部Ｇｃが支持溝上に掛け止められるので、底部を上にしてコップ部Ｇａを下にして支持アーム６に吊り下げられた状態で支持される（図１）。
【００１４】
連結手段８について図１〜図２及び図５〜図７を参照して説明する。
図２に示すように、連結手段８は連結部４ａと連結支柱部５ａとからなる。
連結部４ａは取っ手支持棒体４の下端部に取り付けられている。連結部４ａは取っ手支持棒体４の上動（上昇）に伴って、収納箱本体１の上板部１ａの下面に当接可能であって、取っ手支持棒体の上動範囲を制御する。連結部４ａの軸心部には、図２及び図５に示すように、連結支柱部５ａが挿入離脱可能である連結孔４１ａを下端から上端に向けて設けてある。
図５に示す連結部４ａの連結孔４１ａの内周面に連結溝４２ａを設けてある。連結溝４２ａは、図６及び図７に示すように水平方向の横溝４２ａ１とこの横溝の端部で交差している縦溝４２ａ２とからなる。
図２及び図４に示す連結支柱部５ａは支柱５の上部に設けてあって、その径が支柱の径より短い。連結支柱部５ａには径方向にストッパピン５ｂを貫通してある。ストッパピン５ｂの両端部は連結支柱部５ａの外周面から突出され、その突出端部がストッパ５ｂ１である。
【００１５】
連結部４ａと連結支柱部５ａとの関係について図６及び図７を参照して説明する。
連結支柱部５ａのストッパ５ｂ１は、連結部４ａの横溝４２ａ１及び縦溝４２ａ２との相対的位置関係において各溝内を移動可能である。
ストッパ５ｂ１は図６（ア）及び図７（ア）の位置では横溝４２ａ１の一方の端面４２ａ１１に当接していて、取っ手支持棒体４が図７（ア）矢印方向と反対方向への回転が阻止される。また、取っ手支持棒体４は図７（ア）矢印方向に回転することによって、ストッパ５ｂ１は横溝４２ａ１内を移動し、やがて図７（イ）に示すように取っ手支持棒体の回転角度が所定角度に至ると、縦溝４２ａ２の端面４２ａ２１に当接され、取っ手支持棒体の回転が阻止される。阻止された状態で、取っ手支持棒体４を図６（イ）矢印方向（上方）に引っ張ると、取っ手支持棒体と共に縦溝４２ａ２も上昇するので、この縦溝と相対的位置関係にあるストッパ５ｂ１は縦溝内を端部に向けて移動する。
ストッパ５ｂ１が図６（イ）及び図７（イ）に示す位置にあるとき、取っ手支持棒体４を図６（イ）上方に引っ張ると、ストッパ５ｂ１は縦溝４２ａ２内を移動し、やがて縦溝外に出るから、上動する連結部４ａは連結支柱部５ａから離れ、上板部１ａの下面に当たって上板部を押し上げ、収納箱本体１のみが持ち上げられる（図２）。つまり、ストッパ５ｂ１と縦溝４２ａ２は図６（イ）及び図７（イ）に示す位置関係にある場合、取っ手支持棒体４と支柱５との連結は離脱可能な状態にあり、収納箱本体１を底板２及び支柱５から離すことができる。
ストッパ５ｂ１が図６（ア）及び図７（ア）に示す位置にあるとき、取っ手支持棒体４を図６（ア）上方に引っ張ると、ストッパは横溝４２ａ１の上下両内面に当たり、連結部４ａと連結支柱部５ａとの連結関係は維持されているので、上動する取っ手支持棒体によって支柱５が持ち上げられる。つまり、ストッパ５ｂ１と横溝４２ａ１は図６（ア）及び図７（ア）に示す位置関係にある場合、取っ手支持棒体４と支柱５とは連結状態にあるので、取っ手支持棒体４を介して取っ手３を持ち上げることによって、支柱５は持ち上げられ、底板２と共に収納箱Ｂの全体が持ち上げられる。
連結溝４２ａ（横縦の両溝４２ａ１，４２ａ２）と、ストッパ５ｂ１とは、連結部４ａと連結支柱部５ａとの着脱部を形成している。
【００１６】
図１、図４及び図８に示すように支柱５の両側には、奥行方向（図４左右方向）に案内板９を張り出してある。各案内板９の先端辺は各案内板の先端辺と対向する収納箱本体１の内壁面に設けてある案内係止部１ｃに上下動可能に係止されている。
図示する例では、各案内板９の先端辺には案内係合部である案内凹部９ａを形成してある。案内係止部１ｃは、収納箱本体１の内壁面から突出してある案内係止部であるリブ状の案内凸部１ｃである。各案内板９の先端辺の案内凹部９ａ内には案内凸部１ｃが係合されている。案内凸部１ｃ及び案内凹部９ａは、収納箱本体１を底板２上に被せる際、底板２から離す際に上下動のためのガイド手段であり、収納箱本体の上下動を円滑にする役割をする。
また、各案内板９は、これらを支柱５の両側に取り付け、しかも案内凹部９ａ内に案内凸部１ｃが嵌め込まれるので、支柱の安定した起立状態を維持するための補強手段にもなる。
【００１７】
次に、この考案に係るワイングラスの収納箱の使用方法について説明する。
ワイングラスの保管時について説明する。
保管時では、図１に示すように、ワイングラスＧは支持アーム６に支持溝７を通じて吊り下げ状態に支持されており、取っ手支持棒体４の連結部４ａと支柱５の連結支柱部５ａとは一体的に連結されている状態にあるから、取っ手３を持ち上げると、支柱５及び底板２が持ち上げられ、収納箱Ｂ全体が持ち上がる。取っ手３を持って収納箱Ｂを保管場所に移動する必要がある場合には、その場所まで運びそこに置く。
ワイングラスの使用時について説明する。
この時、図１に示す保管状態の収納箱Ｂが利用者の近くの卓上にある場合には、取っ手３を取っ手支持棒体４を中心として図３の示す上板部１ａに付されている「閉」の位置から「開」の位置まで回転させる。この回転に伴って、取っ手支持棒体の連結部４ａと相対的位置関係にある支柱５の連結支柱部５ａのストッパピン５ｂのストッパ５ｂ１は図６（ア）及び図７（ア）の位置から図６（イ）及び図７（イ）の位置まで移動して止まる。その後、取っ手３によって取っ手支持棒体４を図６（イ）上方に引っ張ると、ストッパ５ｂ１は縦溝４２ａ２内を相対的に移動し、連結部４ａは連結支柱部５ａから離れて上板部１ａに当たるから、取っ手３の引っ張り動作を継続すると、収納箱本体１のみが持ち上げられる。
卓上に、底板２上に起立した支柱５の支持アーム６に懸垂状態に支持されたワイングラスＧが露出される。
その後、ワイングラスＧのコップ部Ｇａを持って支持溝７内を出し入れ口７ａまでスライドさせて取り出す。
【００１８】
この考案に係るワイングラスの収納箱の他の実施形態について図９及び図１０を参照して説明する。
図示する収納箱Ｂａは前記収納箱Ｂとその基本構成が同一であるので、収納箱Ｂと対応する構成部分を示す符号を収納箱Ｂにおける構成部分の説明に用いた符号をそのまま使用する。
収納箱Ｂａの特徴は、支持アーム１６及び支持部１７、連結手段８Ａ並びにガイド手段１８の各構成にある。
【００１９】
支持アーム１６及び支持部１７について説明する。
支持アーム１６は、支柱５から図１０左右両側に水平に張り出している板体によって形成されている。
支持部１７は支持アーム１６の先端部に開けてある支持穴で構成されている。支持穴１７は支持アーム１６の最先端部から切り込んであるスリット状の出し入れ口１７ａと連なっている。ワイングラスＧの脚部Ｇｂは出し入れ口１７ａから支持穴１７内に差し入れることができる。
【００２０】
連結手段８Ａについて説明する。
連結手段８Ａにおいて、一方の連結部４Ａａの連結孔４１Ａａに雌ねじ４１Ａａ１を形成し、他方の連結支柱部５Ａａの外周部に雄ねじ５Ａａ１を形成している。連結部４Ａａの連結孔４１Ａａを通じて連結支柱部５Ａａに嵌め込み、その後、所定距離降下させてから回すことによって雌ねじ４１Ａａ１と雄ねじ５Ａａ１とは噛み合うから、連結部は連結支柱部と一体的に連結される。
一体的に連結された状態で、取っ手３を持ち上げると、取っ手支持棒体４と共に連結部４Ａａに接続されている支柱５及び底板２も持ち上げられるから、収納箱Ｂａ全体が持ち上がる。
連結部４Ａａの雌ねじ４１Ａａ１と、連結支柱部５Ａａの雄ねじ５Ａａ１とは、連結部４Ａａと連結支柱部５Ａａとの着脱部を形成している。
【００２１】
ガイド手段１８は底板２の台板２ａの四隅に起立した三角柱状の案内部材からなる。各案内部材１８は収納箱本体１を底板２上に被せた状態では、収納箱本体の各角部内側に接触した状態で配置されている。
各案内部材１８は、底板２上に収納箱本体１を被せる過程で収納箱本体の下端開口の四隅を案内して、収納箱本体を被せる動作を円滑にすると共に、被せた後に収納箱本体が左右及び奥行方向に水平移動することを制御する役割を持つ。
【００２２】
図１及び図９に示すワイングラスの収納箱Ｂ，Ｂａによれば、取っ手３を利用して運ぶことができ、利用者の近くの卓上等の適宜の場所に置くことができるので、ワイングラスＧの使用時や使用後の保管時に、わざわざ食器棚まで足を運ぶ必要がないからその扱いがし易い。また、収納箱Ｂ，Ｂａによれば、支持アーム６，１６にワイングラスＧを懸垂状態にして収納しておくので、安定した支持状態を維持できる。さらに、収納箱Ｂ，Ｂａによれば、支柱５の上部は取っ手支持棒体４に連結されているので、支柱の起立状態が安定し、ワイングラスＧの支持状態が安定される。
【００２３】
案内係止部はリブ状の案内凸部１ｃに限定されず、凹部であっても良く、この場合には案内板９の先端辺をそのまま凹部内に差し入れても良く、又は先端辺を薄肉に形成した凸部とし、この凸部を上記凹部内に嵌め込むようにしても良い。
連結手段８，８Ａの着脱部として、図６に示す例では連結溝４２ａ及びストッパ５ｂ１を用いており、図９に示す例では雌ねじ４１Ａａ１及び雄ねじ５Ａａ１を用いて、いずれも取っ手３及び取っ手支持棒体４を回して連結部４ａ，４Ａａと連結支柱部５ａ，５Ａａとの着脱を行っているが、必ずしもこれらの例に限られず、例えば連結部４ａ，４Ａａ及び連結支柱部５ａ，５Ａａの一方が他方に圧入係止する構造であっても良い。この場合には取っ手３を回すことなく、上下操作のみで連結手段８，８Ａの着脱が可能となる。
支持アーム６，１６は、これらを収納箱本体１の大きさに応じて図５及び図１０左右両側に加えて上下両側に張り出すようにしても良い。
ワイングラスＧを支持アーム６，１６に懸垂状態に支持する方法として、コップ部Ｇａを上にするものであっても良い。
【符号の説明】
【００２４】
Ｂ，Ｂａ            収納箱
Ｇ                  ワイングラス
Ｇａ                コップ部
Ｇｂ                脚部
Ｇｃ                底部
１                  収納箱本体
１ａ                上板部
１ｃ                案内凸部（案内係止部）
２                  底板
３                  取っ手
４                  取っ手支持棒体
４ａ，４Ａａ        連結部
４１ａ，４１Ａａ    連結孔
４１Ａａ１          雌ねじ
４２ａ              連結溝
５                  支柱
５ａ，５Ａａ        連結支柱部
５Ａａ１            雄ねじ
５ｂ                ストッパピン
５ｂ１              ストッパ
６                  支持アーム
７                  ワイングラスの支持部（支持溝）
７ａ                出し入れ口
８，８Ａ            連結手段
９                  案内板
９ａ                案内凹部
１６                支持アーム
１７                ワイングラスの支持部（支持穴）
１７ａ              出し入れ口
【図１】
0003186495.tif 000003
【図２】
0003186495.tif 000004
【図３】
0003186495.tif 000005
【図４】
0003186495.tif 000006
【図５】
0003186495.tif 000007
【図６】
0003186495.tif 000008
【図７】
0003186495.tif 000009
【図８】
0003186495.tif 000010
【図９】
0003186495.tif 000011
【図１０】
0003186495.tif 000012